(57)【要約】【課題】携帯が可能であり、家庭でも外出先でも、必要な時にいつでも、簡単な装置と操作によって誰でも、直ちに美味しい水素水を安価に入手できる水素水の生成方法及び水素水を生成するペットボトルを提供する。【解決手段】本発明の水素水の生成方法は、水と反応して水素を発生する水素発生剤と、水素発生剤を内蔵し、その周囲を包み込む吸水材と、水素発生剤を内蔵した吸水材を収容し、１つ以上の透水孔をケースの上方側部に有する有底形状のカセットケースと、カセットケースを脱着可能に取り付ける係止部が内側に設けられたペットボトルの蓋と、ペットボトルの容器から構成され、カセットケースを係止したペットボトルの蓋を、水面が渇セットケースに触れないようにした飲料水の入ったペットボトルの容器に取り行けたペットボトルを、１回以記ペットボトルの上下を逆さにした後、吸水材に飲料水を吸水させた状態で、ペットボトルの底を下にして水素を発生させ、飲料水に水素を吸収させることを特徴とする。【選択図】図１
2017047347.tif 000002
【特許請求の範囲】
【請求項１】
水と反応して水素を発生する水素発生剤と、該水素発生剤を内蔵し、その周囲を包み込む吸水材と、前記水素発生剤を内蔵した前記吸水材を収容し、１つ以上の透水孔をケースの上方側部に有する有底形状のカセットケースと、
該カセットケースを脱着可能に取り付ける係止部が内側に設けられたペットボトルの蓋と、
ペットボトルの容器とから構成され、
前記カセットケースを係止した前記ペットボトルの蓋を、水面が前記カセットケースに触れないようにした飲料水の入ったペットボトルの容器に取り付けたペットボトルを、１回以上前記ペットボトルの上下を逆さにした後、前記吸水材に飲料水を吸水させた状態で、前記ペットボトルの底を下にして水素を発生させ、飲料水に水素を吸収させることを特徴とする水素水の生成方法。
【請求項２】
前記水素発生剤が、金属マグネシウムの粉末であることを特徴とする請求項１に記載の水素水の生成方法。
【請求項３】
前記カセットケースが筒形状であり、
前記ペットボトルの蓋の内側の係止部が突起形状であり、
前記カセットケースの上端部と突起形状の前記係止部とが嵌合し合うことを特徴とする請求項１に記載の水素水の生成方法。
【請求項４】
前記カセットケースの上端部がスチール製のキャップ又はシールで覆われ、
前記ペットボトルの蓋の係止部が、前記ペットボトルの蓋の内側に設置された永久磁石であり、
該永久磁石に前記カセットケースの上端部を近づけることにより、前記カセットケースを係止することを特徴とする請求項１に記載の水素水の生成方法。
【請求項５】
水と反応して水素を発生する水素発生剤と、該水素発生剤を内蔵し、その周囲を包み込む吸水材と、前記水素発生剤を内蔵した前記吸水材を収容し、１つ以上の透水孔をケースの上方側部に有する有底形状のカセットケースと、
該カセットケースを脱着可能に取り付ける係止部が内側に設けられたペットボトルの蓋と、
前記カセットケースを係止した前記ペットボトルの蓋を取り付ける、水面が前記カセットケースに触れないようにした飲料水の入ったペットボトルの容器とから構成されたことを特徴とする水素水を生成するペットボトル。
【請求項６】
前記水素発生剤が、金属マグネシウムの粉末であることを特徴とする請求項５に記載の水素水を生成するペットボトル。
【請求項７】
前記吸水材がグラスウール、ロックウール、スラグウール、ミネラルウールから選ばれる１種であることを特徴とする請求項５に記載の水素水を生成するペットボトル。
【請求項８】
前記カセットケースがアルミニウム又はスチールであることを特徴とする請求項５に記載の水素水を生成するペットボトル。
【請求項９】
前記カセットケースが筒形状であり、
前記ペットボトルの蓋の内側の係止部が、前記カセットケースの上端部と嵌合し合う突起であることを特徴とする請求項５に記載の水素水を生成するペットボトル。
【請求項１０】
前記カセットケースの上端部がスチール製のキャップ又はシールで覆われ、
前記ペットボトルの蓋の係止部が、磁力によって前記カセットケースを係止する前記ペットボトルの蓋の内側に設置された永久磁石であることを特徴とする請求項５に記載の水素水を生成するペットボトル。
【発明の詳細な説明】
【技術分野】
【０００１】
本発明は、水素水の生成方法及び水素水を生成するペットボトルに係り、より詳しくは、飲料水の入ったペットボトルの上下を１回以上逆さにし、ペットボトルの蓋の内側にセットした水素発生剤と飲料水を接触させた後、ペットボトルの底を下にした状態で水素を発生させ、飲料水に水素を吸収させる水素水の生成方法及び水素水を生成するペットボトルに関する。
【背景技術】
【０００２】
水素水を体内に取り込むと、体内の活性酸素を消滅させることから、アンチエイジング効果があるといわれている。健康志向が高まる中、水素を溶存させた水の製造装置が水素水や還元水製造装置として市販されている。しかしながら、この電気分解による水素水製造装置は価格が高い上、設置する場所も一定の広さを要することから事務所や病院、美容院等ではある程度の普及を見せたものの、一般家庭には受け入れ難いものであった。
一般家庭での水素水の入手方法としては、容器に入っている水素水をコンビニエンスストア、スーパーマーケット又は薬局の店頭で購入するか、通信販売で注文し自宅に配送してもらう方法が一般的である。
しかしながら、水に溶解した水素は脱気しやすく、保管・輸送中に水素が脱気してしまうという問題がある。
特許文献１によると、飽和状態の水素水を解放した状態で静置すると２時間で１／１０の濃度に減少したとのことである。また、ある週刊誌の調査によると、通信販売により入手したペットボトル入りの水素水の溶存水素濃度を分析したところ、分析した２銘柄ともに水素溶存濃度は０ｐｐｍであった。同時に測定を行ったアルミニウムボトルに充填された水素水３銘柄も溶存水素濃度は０．１〜０．８ｐｐｍの範囲であった。これらの水素水は、飲料水メーカー等が工場生産したものであり、ラベル表記によれば、製造時には水素の水に対する飽和溶存量に近いものであったことから、輸送中及び保存中に溶解していた水素の９０％以上の水素が失われたことになる。
【０００３】
水素水の生成方法は、電気分解による水素発生方法が主流であるが、他にも水に水素ガスを吹き込む方法や、化学反応により水素を発生させる方法等がある。
しかしながら、電気分解による方法は、上述のとおり大掛かりな装置が必要であり、また、水素ガスを水に吹き込む方法では高圧の水素ガスを用意する設備が必要であり、一般家庭での利用には利便性を欠いている。一方、水中で水と反応させて水素を発生させる化学反応による方法は、水素の発生速度の制御が難しい上に、水との反応でできた反応生成物が水に混入し、水素水の味を悪くするという問題があった。（例えば、特許文献２，３参照）。
【先行技術文献】
【特許文献】
【０００４】
【特許文献１】国際公開第２００８／０１５８６７号
【特許文献２】特開２００９−１２６７３６号公報
【特許文献３】特開２００４−３４４７８３号公報
【発明の概要】
【発明が解決しようとする課題】
【０００５】
本発明は、かかる問題点を解決するためになされたものであって、その目的とするところは、携帯が可能であり、家庭でも外出先でも、必要な時にいつでも、簡単な装置と操作によって誰でも、直ちに美味しい水素水を安価に入手できる水素水の生成方法及び水素水を生成するペットボトルを提供することにある。
【課題を解決するための手段】
【０００６】
上記目的を達成するためになされた、本発明の水素水の生成方法は、水と反応して水素を発生する水素発生剤と、水素発生剤を内蔵し、その周囲を包み込む吸水材と、水素発生剤を内蔵した吸水材を収容し、１つ以上の透水孔をケースの上方側部に有する有底形状のカセットケースと、カセットケースを脱着可能に取り付ける係止部が内側に設けられたペットボトルの蓋と、ペットボトルの容器とから構成され、カセットケースを係止したペットボトルの蓋を、水面がカセットケースに触れないようにした飲料水の入ったペットボトルの容器に取り付けたペットボトルを、１回以上ペットボトルの上下を逆さにした後、吸水材に飲料水を吸水させた状態で、ペットボトルの底を下にして水素を発生させ、飲料水に水素を吸収させることを特徴とする。
【０００７】
水素発生剤が、金属マグネシウムの粉末であることが好ましい。
カセットケースが筒形状であり、ペットボトルの蓋の内側の係止部が突起形状であり、カセットケースの上端部と突起形状の前記係止部とが嵌合し合うことが好ましい。
カセットケースの上端部がスチール製のキャップ又はシールで覆われ、ペットボトルの蓋の係止部が、ペットボトルの蓋の内側に設置された永久磁石であり、永久磁石にカセットケースの上端部を近づけることにより、カセットケースを係止することが好ましい。
【０００８】
上記目的を達成するためになされた、本発明の水素水を生成するペットボトルは、水と反応して水素を発生する水素発生剤と、水素発生剤を内蔵し、その周囲を包み込む吸水材と、水素発生剤を内蔵した吸水材を収容し、１つ以上の透水孔をケースの上方側部に有する有底形状のカセットケースと、カセットケースを脱着可能に取り付ける係止部が内側に設けられたペットボトルの蓋と、カセットケースを係止したペットボトルの蓋を取り付ける、水面がカセットケースに触れないようにした飲料水の入ったペットボトルの容器とから構成されたことを特徴とする。
【０００９】
水素発生剤が、金属マグネシウムの粉末であることが好ましい。
吸水材がグラスウール、ロックウール、スラグウール、ミネラルウールから選ばれる１種であることがよい。
カセットケースがアルミニウム又はスチールであることがよい。
【００１０】
カセットケースが筒形状であり、ペットボトルの蓋の内側の係止部が、カセットケースの上端部と嵌合し合う突起であることが好ましい。
カセットケースの上端部がスチール製のキャップ又はシールで覆われ、ペットボトルの蓋の係止部が、磁力によってカセットケースを係止するペットボトルの蓋の内側に設置された永久磁石であることが好ましい。
【発明の効果】
【００１１】
本発明によると、本発明の水素水を生成するペットボトルは、携帯が可能なペットボトルであり、家庭でも外出先でも容易に入手できる。本発明の水素発生剤を内蔵する吸水材を収容するカセットケースと、これを係止することのできる係止部を有するペットボトルの蓋を準備すれば、必要な時にいつでも、どこででも直ちに水素水を入手できる効果を有する。
本願発明の水素水を生成するペットボトルにセットするカセットケース及びペットボトルの蓋は、極めて簡単な構造であるため、低コストで製造することができ、安価に供給することができる。
本願発明の水素水の生成方法は、ペットボトルの蓋内側の係止部にカセットケースをセットしたペットボトルの蓋を、飲料水の入ったペットボトルの容器に取り付けたペットボトルを、１回又は２回ペットボトルの上下を逆さにし、吸水材に飲料水を吸水させた後、ペットボトルの底を下にした状態で水素を発生させるもので、極めて簡単に即座に水素水を生成することができるため、誰でも出来たばかりの水素水を入手することができる。
また、本発明の水素水を生成するペットボトル及びこれによる水素水の生成方法は、水と水素発生剤の反応により生じる反応生成物が水に混入することがないため、水素水の味を悪くすることがなく、美味しい水素水を提供できる効果を有する。
【図面の簡単な説明】
【００１２】
【図１】本発明の水素発生剤入りのカセットケースが取り付けられたペットボトルの断面図である。
【図２】本発明の水素発生剤入りのカセットケースを説明するためのイメージ図である。
【図３】本発明の水素発生剤入りのカセットケースが係止されたペットボトルの蓋の一例を示す断面図である。
【図４】本発明の水素発生剤入りのカセットケースが係止されたペットボトルの蓋の他の一例を示す断面図である。
【図５】本発明の水素発生剤入りのカセットケースが係止されたペットボトルの蓋のさらに他の一例を示す断面図である。
【図６】本発明の実施例に係る水素水中の水素濃度の経時変化を示すグラフである。
【発明を実施するための形態】
【００１３】
本発明は、市販されている飲料水用のペットボトルを水素水の生成容器として利用することを特徴とする。
図１は、本発明の水素発生剤入りのカセットケースが取り付けられたペットボトルの断面図である。図１に示したとおり、本発明の水素水を生成するペットボトル１はペットボトルの容器２０とペットボトルの蓋１８からなり、ペットボトルの蓋１８の内側には水素発生剤１０を収容するカセットケース１６を係止する係止部３０が設けられる。
図２は、本発明の水素発生剤入りのカセットケースを説明するためのイメージ図である。
カセットケース１６は、水と反応して水素を発生する水素発生剤１０と、水素発生剤１０を内蔵し、その周囲を包み込む吸水材１２とを収容する。カセットケース１６は、底を有する筒状容器で上方側面に１つ以上の透水孔１４を有する。
【００１４】
水と反応して水素を発生する水素発生剤１０としては、リチウム、ナトリウムカリウム等のアルカリ金属、ベリリウム、マグネシウム、カルシウム、ストロンチウム等のアルカリ土類金属、水素化リチウムアルミニウム、水素化ナトリウムホウ素、水素化カルシウム、水素化マグネシウム等の水素化剤を挙げることができる。
中でも金属マグネシウムの粉末は好ましく利用できる。適当な金属マグネシウム粉末の粒子径を選定することで、水素の発生速度を調節することができる。金属マグネシウム粉末の粒子径は、通常０．１〜１．０ｍｍである。
さらに、マグネシウムを５０重量％以上含むマグネシウム合金の粉末も利用することができる。水と反応させて水素を発生させることができる合金としては、例えば、マグネシウムが９６重量％、アルミニウムが３重量％、亜鉛が１重量％で構成されたＡＺ３１合金、及びマグネシウムが９０重量％、アルミニウムが９重量％、亜鉛が１重量％で構成されたＡＺ９１合金を例示することができる。これらの合金の粉末は、いずれも水素発生剤として好ましく利用できる。
【００１５】
水素発生剤１０は、透水性の袋に収容されその周囲を吸水材１２で包まれるか、又は、シート状に広げた吸水材の片面に水素発生剤を散在させた後、水素発生剤を包み込むように吸収材のシートを巻き取ればよい。吸収材１６に内蔵される金属マグネシウム粉末の量は使用するペットボトルの容器２０の大きさ（即ち、水の量）によるが、５００ｍｌのペットボトル用で、１００ｍｇ〜１ｇであることがよく、３００ｍｇ〜６００ｍｇであることが好ましい。水素発生剤１０の量が１００ｍｇ以下では、発生する水素の量が少なくなり、効果と摂取感を共に満足させる水素水が作れない虞がある。水素発生剤１０の量が１ｇ以上では、発生する水素の量が多くなりすぎ、ペットボトルが破裂するとの恐怖感を与える虞がある。
吸水材１２は、水との接触で水を吸水し、水素発生剤に水を供給するものであれば、特に制限がなく、綿、麻、和紙等の天然繊維、ナイロン、ポリエステル、ポリオレフィン、アクリル繊維等の合成繊維、グラスウール、ロックウール、スラッグウール、ミネラルウール等の無機繊維を例示することができる。また、軽石、ゼオライト等の多孔質無機天然物、ウレタンフォーム、メラミンフォーム等の合成樹脂製スポンジも例示できる。これらはいずれも吸水材として利用可能であるが、水と水素発生剤の反応が発熱反応であること、及び吸水速度を考慮すると、吸水材はグラスウール、ロックウール、スラッグウール、ミネラルウール等の無機繊維であることがより好ましい。
【００１６】
水素発生剤１０を内蔵した吸水材１２はカセットケース１６に収容される。
カセットケース１６は有底の筒形状で、筒状容器の上方側部に１つ以上の透水孔１４を有する。透水孔１４は水の入ったペットボトル１の上下を逆さにした時、水がカセットケース１６に侵入し、吸水材１２に吸水させるためのものである。
カセットケース１６の形状は円柱、角柱、三角柱、楕円柱等、様々な形状に形成できるが、通常、加工しやすい円柱形状である。
カセットケース１６には底部が形成される。カセットケースの底部はプレス成形等によりカセットケースの側面と一体に成形されるか、又は、スチール製の場合には、カセットケースの側面に底部を溶接して形成してもよい。一方、合成樹脂の場合には、射出成形や真空成型等によっても一体に成形することができる。
透水孔１４の大きさ、数、形状に特に制限はなく、ペットボトル１の上下を逆さにした時、瞬時に水がカセットケース１６に侵入する大きさであればよい。
カセットケース１６の上端部の形状は、後述するペットボトルの蓋１８の内側に設けられる係止部の構造との関係で決定される。
カセットケース１６の素材は、特に制限はなく、ステンレススチールを含むスチール、アルミニウム等の金属、ポリエチレンテレフタレート等の合成樹脂を例示することができる。これらの素材はいずれもカセットケース１６の素材として利用することができるが、水と水素発生剤の反応が発熱反応であることを考慮すると、アルミニウム又はスチールであることがより好ましい。
【００１７】
ペットボトルの蓋１８の内側には、カセットケース１６を脱着可能に取り付ける係止部３０が設けられる。
図３〜５は、本発明の水素発生剤入りのカセットケースが係止されたペットボトルの蓋の例を示す断面図であり、図３は雄型突起形状の係止部、図４は、雌型突起形状の係止部、図５は、磁石が設置された係止部を示す。
図３に示した、係止部３０の一つの実施の形態は、ペットボトルの蓋１８の内側中央に設けられた円錐台形上の雄型突起３２であり、突起の先端部の径よりペットボトルの蓋１８との接着部分の径が太くなるテーパー形状であり、この雄型突起３２を、カセットケース１６の開放された上端部に挿入することにより、ペットボトルの蓋１８にカセットケース１６を係止することができる。
【００１８】
図４に示した、係止部３０の他の実施の形態は、ペットボトルの蓋１８の内側に設けられ、中央部に凹みを有する雌型突起３４であり、凹みの先端部の内径より凹みの底部分の内径が小さくなるテーパー形状であり、この雌型突起３４には、カセットケース１６の上端部が挿入されることにより、ペットボトルの蓋１８にカセットケース１６を係止することができる。この場合、カセットケース１６の上端部は解放された形状でも、また、シール等で閉鎖された形状でもよい。
図３，４にそれぞれ示した雄型突起３２及び雌型突起３４はペットボトルの蓋と一体に射出成形するか、又は、突起の部分だけを成形してペットボトルの蓋１８の内側に張り付けてもよい。射出成形で製造する場合、素材はポリエチレンテレフタレートに限定されるが、突起部を別途製造する場合には、素材を自由に選択できる。例えば、弾力性のある合成ゴム等で製造した突起部はカセットケースの着脱が容易で係止力も強い。
【００１９】
図５に示した、係止部のさらに他の実施の形態は、ペットボトルの蓋１８の内側に永久磁石３６が設置されており、上端部がスチール製のキャップ又はスチール製のシールで覆われたカセットケース１６を磁力により係止することができる。
キャップ及びシールは共に磁力に反応する磁性体であり、スチール板又はスチ−ルシートより加工される。カセットケース上端部の縁に折り返し部分を有するものをキャップ、これを有していないものをシールと称す。
ペットボトルの蓋１８の内側に設けられる永久磁石３６は、一定以上の磁力を有するものであれば特に制限なく使用できるが、通常、フェライト磁石、サマリウムコバルト磁石、及び、ネオジウム磁石から選ばれた１つであり、表面には防錆加工が施される。
ペットボトルの蓋１８に永久磁石３６を設ける手段に制限はないが、汎用の接着剤で接着することができる。
【００２０】
以下に、本発明の水素水生成方法について説明する。
水素発生剤１０を内蔵した吸水材１２を収容したカセットケース１６は、水素水が必要になるまで、ペットボトルとは別の場所で保管され、必要時にペットボトルの蓋１８にセットされる。水素発生剤１０は湿気と酸素を嫌うため、保管するためにカセットケース１６はシールにより密封されるか、又はガスバリア性のプラスチックバッグに密閉包装されることがよい。密閉包装には、カセットケース１６と共に、乾燥剤及び／又は脱酸素剤が封入されてもよい。
水素水を生成する際には、カセットケース１６をペットボトルの蓋１８の内側に設けた係止部３０にセットし、ペットボトルの蓋１８を、飲料水の入ったペットボトルの容器２０に取り付けて、水素水を生成するペットボトルとする。このとき飲料水の水面がカセットケース１６に触れないように飲料水の量を調節するとよい。
次いで、１回、ペットボトル１の上下を逆さにし、吸水材１２に飲料水を吸水させた後、ペットボトル１を元の底を下にした状態に戻すと、次第にペットボトル１が膨張し緊張してくることから水素が発生していることを感じることができる。また、他の水素の発生を確認する方法として、再度、ペットボトル１の上下を逆さにし、カセットケース１６を水に漬けると水素ガスが泡となって発生している状況を観察することができる。水素の発生を確認した後は、元の状態に戻し、ペットボトル１の底を下にして水素を発生させ、飲料水に水素を吸収させ、水素水を生成することがよい。
【００２１】
飲料水の温度により水素の発生速度が変わるが、室温（１５〜２５℃）であれば、１〜２分で、１ｐｐｍ程度の水素水を得ることができる。
本発明はペットボトル１を底を下にした状態で水素を発生させることから、ペットボトル１の内部空間に充満するのは水素ガスであり、水素水にはガス状の水素だけが溶存することになる。即ち水と水素発生剤との反応により生成する水酸化マグネシウム当の反応生成物は有底のカセットケース内に留まるため、水素水には溶解してこない。このため、水素水の味が悪くなることもなく、美味しい水素水を味わうことができる効果を有する。
【００２２】
〔実施例〕
以下に好ましい実施例を示す。実施例では下記素材を使用した。
飲料水入りペットボトル（日本コカ・コーラ株式会社製  商品名：いろはす、容量：５５０ｍＬ）
水素発生剤（株式会社関東金属製  商品名：マグネシウム粉、品番：Ｍｇ２０、メジアン径：０．５〜０．８５ｍｍ）
吸水材（株式会社キジマ製  種類名：消音グラスウール、商品名：アスコタフィルＣＥ）
カセットケース（東洋製缶株式会社製  種類名：スチール製３ピース缶、形状：有底円筒形、サイズ：外径１６ｍｍ×高さ３０ｍｍ）底部と側部が一体化し、キャップは別に入手した。
ネオジウム磁石（株式会社マグファイン製  形状：丸形、サイズ：直径１０ｍｍ×高さ１ｍｍ）ペットボトルの蓋１８の内側にネオジウム磁石をエポキシ樹脂で接着して係止部とした。
【００２３】
カセットケース１６となるスチール製３ピース缶の解放されている口側の側部に、ドリルで直径３ｍｍの穴を６個開け、透水孔１４とした。
グラスウールを厚さ５ｍｍ×縦２５ｍｍ×幅６０ｍｍのシート状に切断し、この上にマグネシウム粉の５００ｍｇを広げて置いた。グラスウールシートを幅方向に巻いてゆき円筒状にした。円筒状にした吸水材１２を透水孔１４を設けたスチール製のカセットケース１６に収容した後、スチール製のキャップを巻き締め法によりカセットケース１６の上部解放口に取り付けた。
上部解放口をペットボトルの蓋１８に接着した永久磁石３６に近づけることにより、カセットケース１６を係止部３０に係止した。
カセットケース１６を係止部３０に係止したペットボトルの蓋１８を飲料水の入ったペットボトルの容器２０に取り付けて水素水を発生させるぺットボトル１とした。この時、水面がカセットケース１６に触れないように飲料水の量を調整した。
１回、ペットボトル１の上下を逆さにし、吸水材１２に飲料水を吸水させた後、ペットボトル１を元の底を下にした状態に戻した。  
ペットボトル１を底を下にした状態に戻した後、１分ごとに、ペットボトル内の水素水に含まれる水素濃度をメチレンブルー点滴法により測定した。
飲料水の温度は２０℃であった。
【００２４】
水素濃度の測定の結果を図６のグラフに示した。
ペットボトル内の飲料水に溶存する水素濃度は、１分後には、０．８ｐｐｍに達し、２分後には１．５ｐｐｍになった。
その後、水素濃度は６分まで継時的に上昇したが、７分で一定の値（４．２ｐｐｍ）となった。
水素水の味は無味無臭であり、味に変化はなかった。
【符号の説明】
【００２５】
１：ペットボトル
１０：水素発生剤
１２：吸水材
１４：透水孔
１６：カセットケース
１８：ペットボトルの蓋
２０：ペットボトルの容器
３０：係止部
３２：雄形突起
３４：雌形突起
３６：永久磁石
【図１】
2017047347.tif 000003
【図２】
2017047347.tif 000004
【図３】
2017047347.tif 000005
【図４】
2017047347.tif 000006
【図５】
2017047347.tif 000007
【図６】
2017047347.tif 000008